(57)【特許請求の範囲】
【請求項１】
エレベータの乗りかごの壁面に対して平行に配置されるフェースプレートと、
前記乗りかごのドアを開くために操作される開操作部と、
前記ドアを閉めるために操作される閉操作部と、を有し、
前記開操作部と前記閉操作部のいずれか一方が、前記フェースプレートから上下方向に傾斜する第１平面に配置され、他方が前記第１平面と上下方向に傾斜が異なる第２平面に配置されることを特徴とする、
乗りかご操作盤。
【請求項２】
前記第１平面が、前記フェースプレートよりも上向きに傾斜している、請求項１に記載の乗りかご操作盤。
【請求項３】
前記第２平面が、前記フェースプレートと平行、又は、前記フェースプレートよりも下向きに傾斜している、請求項１又は２に記載の乗りかご操作盤。
【請求項４】
前記第１平面が、前記フェースプレートから前記乗りかごの内部に向けて突出している、請求項１乃至３に記載の乗りかご操作盤。
【請求項５】
前記第１平面と前記第２平面が上下方向に隣接する、請求項１乃至４に記載の乗りかご操作盤。
【発明の詳細な説明】
【技術分野】
【０００１】
本出願は、エレベータの乗りかご操作盤に関する。
【背景技術】
【０００２】
従来のエレベータの乗りかご操作盤は、例えば、大きさや形状、突出量を互いに異ならせたドアの開操作部と閉操作部とを備えている（例えば、特許文献１）。ところで、特許文献１に係る乗りかご操作盤においては、開操作部と閉操作部は、操作者の視界に同時に入るものである。これにより、咄嗟の操作を強いられる際、開操作と閉操作を誤る場合がある。
【先行技術文献】
【特許文献】
【０００３】
【特許文献１】特開１９９６−２５９１２８号公報
【発明の概要】
【発明が解決しようとする課題】
【０００４】
そこで、解決する課題は、エレベータのドアの開操作部と閉操作部の誤操作を抑制することができる乗りかご操作盤を提供することである。
【課題を解決するための手段】
【０００５】
乗りかご操作盤は、エレベータの乗りかごの壁面に対して平行に配置されるフェースプレートと、前記乗りかごのドアを開くために操作される開操作部と、前記ドアを閉めるために操作される閉操作部と、を有し、前記開操作部と前記閉操作部のいずれか一方が、前記フェースプレートから上下方向に傾斜する第１平面に配置され、他方が前記第１平面と上下方向に傾斜が異なる第２平面に配置されることを特徴とする。
【０００６】
また、乗りかご操作盤は、前記第１平面が、前記フェースプレートよりも上向きに傾斜している、という構成でもよい。
【０００７】
また、乗りかご操作盤は、前記第２平面が、前記フェースプレートと平行、又は、前記フェースプレートよりも下向きに傾斜している、という構成でもよい。
【０００８】
また、乗りかご操作盤は、前記第１平面が、前記フェースプレートから前記乗りかごの内部に向けて突出している、という構成でもよい。
【０００９】
また、乗りかご操作盤は、前記第１平面と前記第２平面が上下方向に隣接する、という構成でもよい。
【図面の簡単な説明】
【００１０】
【図１】図１は、実施形態に係る乗りかご内部の模式図である。
【図２】図２は、実施形態に係る開閉操作部の正面図及び側面図である。
【図３】図３は、第１変形例に係る開閉操作部の正面図及び側面図である。
【図４】図４は、第２変形例に係る開閉操作部の正面図及び側面図である。
【図５】図５は、第３変形例に係る開閉操作部の正面図及び側面図である。
【図６】図６は、第４変形例に係る開閉操作部の正面図及び側面図である。
【図７】図７は、第５変形例に係る開閉操作部の正面図及び側面図である。
【図８】図８は、第６変形例に係る開閉操作部の正面図及び側面図である。
【図９】図９は、第７変形例に係る開閉操作部の正面図及び側面図である。
【００１１】
以下、本発明の実施形態について、図１、図２を参照しながら説明する。なお、各図（図３〜図９も同様）において、図面の寸法比と実際の寸法比とは、必ずしも一致していない。また、各図面間の寸法比も、必ずしも一致していない。
【００１２】
図１は、実施形態に係る乗りかご内部の模式図である。
【００１３】
図１に示すように、本実施形態に係るエレベータの乗りかご１の内部には、壁面２，２，２，２と、乗りかご操作盤３と、ドア４，４と、運行情報を表示する表示部５を備える。表示部５は、例えば、現在の乗りかご１が通過、もしくは停止している階数や、乗りかご１の移動方向を表示する。
【００１４】
なお、本実施形態においては、ドア４，４に垂直な方向を奥行方向Ｘ、ドア４，４が開閉するときに、ドア４，４が動作する方向を間口方向Ｙとする。さらに、鉛直方向を上下方向Ｚとする。
【００１５】
乗りかご操作盤３は、フェースプレート３ａと、乗りかご１の行先階を入力する行先階入力部３ｂと、開閉操作部３ｃとを有する。
【００１６】
なお、本実施形態においては、乗りかご操作盤３と表示部５は、ドア４，４に隣接する一方の壁面２に取り付けられているが、このような場合に限らず、ドア４，４に隣接しない壁面２に取り付けられてもよく、また、壁面２，２，２，２のうちの１つに取り付けられる場合に限らず、複数に取り付けられてもよい。
【００１７】
図２は、実施形態に係る開閉操作部の正面図及び側面図である。
【００１８】
図２に示すように、開閉操作部３ｃは、ドア４，４（図１参照）が開く指示を入力するために操作される開操作部６ａと、ドア４，４が閉じる指示を入力するために操作される閉操作部６ｂを有する。
【００１９】
なお、開操作部６ａと閉操作部６ｂの構造は、特に限定されないが、例えば、各種ボタン、スイッチ、静電式タッチパネル、又は、感圧式タッチパネルとすることができる。
【００２０】
そして、開操作部６ａは、フェースプレート３ａから上下方向Ｚに傾斜する第１平面７ａに配置され、閉操作部６ｂは、第１平面７ａと上下方向Ｚに傾斜が異なる第２平面７ｂに配置されるように構成されている。
【００２１】
これにより、開閉操作部３ｃを操作する操作者の視界に比較的入りやすい第１平面７ａと、視界に比較的入りにくい第２平面７ｂが区別されるため、開閉操作部３ｃを操作する際に、開操作部６ａと閉操作部６ｂの誤操作を抑制することができる。
【００２２】
また、一般に、エレベータの乗りかご１に乗車しようとする利用者がドア４，４に挟まれるのを防ぐために開操作部６ａを操作する場合が多い。そのため、開閉操作部３ｃを操作する操作者の視界に比較的入りやすい第１平面７ａに開操作部６ａが配置されることにより、開操作部６ａを容易に操作することができる。
【００２３】
なお、フェースプレート３ａと第１平面７ａのなす角度Ａは、特に限定されないが、例えば４５度とすることができる。
【００２４】
さらに、第１平面７ａと第２平面７ｂのなす角度Ｂは、特に限定されないが、例えば１３５度とすることができる。
【００２５】
また、本実施例においては開操作部６ａ及び閉操作部６ｂには、ドア４，４の開閉を示すイラストが付されているが、特に限定されるものではなく、例えば「開」、「閉」といった漢字表記や、「ＯＰＥＮ」、「ＣＬＯＳＥ」といった英語表記を付してもよい。
【００２６】
さらに、開操作部６ａ又は閉操作部６ｂがドア４，４の開閉動作、又は、開閉状態によって点滅してもよい。
【００２７】
例えば、ドア４，４が閉まる動作中である場合は、開操作部６ａが点滅する、という構成でもよい。
【００２８】
これにより、エレベータの乗りかご１に乗車しようとする利用者がドア４，４に挟まれそうになった場合、開操作部６ａをさらに容易に操作することができる。
【００２９】
また、例えば、ドア４，４が開ききった状態で静止している場合は、閉操作部６ｂが点滅する、という構成でもよい。
【００３０】
一般に、早期にドア４，４を閉めることで、運行効率を向上させるために、閉操作部６ｂを操作する場合が多い。そのため、ドア４，４が開ききった状態で静止している場合に、閉操作部６ｂが点滅することで、操作者の視界に比較的入りにくい第２平面７ｂに閉操作部６ｂが配置されていても、閉操作部６ｂを容易に操作することができる。
【００３１】
さらに、開操作部６ａは第１平面７ａから突出していてもよく、また、埋没していてもよい。開操作部６ａが第１平面７ａから突出している場合には、開操作部６ａの操作を容易にすることができ、開操作部６ａが第１平面７ａから埋没している場合には、誤って利用者の体の一部が開操作部６ａに接触し、意図しない操作が引き起こされることを抑制することができる。また、閉操作部６ｂも同様に、第２平面７ｂから突出していてもよく、また、埋没していてもよい。
【００３２】
そして、第１平面７ａが、フェースプレート３ａよりも上向きＺ１に傾斜している、ように構成されている。
【００３３】
これにより、操作者の視界に比較的入りやすい第１平面７ａがより視界に入りやすくなることで、第１平面７ａに配置される開操作部６ａをさらに容易に操作することができる。
【００３４】
そして、第２平面７ｂが、フェースプレート３ａと平行である、ように構成されている。
【００３５】
これにより、開閉操作部３ｃを操作する操作者の視界に比較的入りやすい第１平面７ａと、視界に比較的入りにくい第２平面７ｂがより明確に区別されるため、開閉操作部３ｃを操作する際に、開操作部６ａと閉操作部６ｂの誤操作をさらに抑制することができる。
【００３６】
そして、第１平面７ａが、フェースプレート３ａから乗りかご１の内部に向けて突出している、換言すると、フェースプレート３ａより手前向きＸ１に向けて突出している、ように構成されている。
【００３７】
これにより、操作者の視界に比較的入りやすい第１平面７ａがより視界に入りやすくなることで、第１平面７ａに配置される開操作部６ａをさらに容易に操作することができる。
【００３８】
なお、第１平面７ａがフェースプレート３ａから突出する最大の突出量Ｗは、特に限定されないが、例えば５ｃｍとすることができる。
【００３９】
さらに、第１平面７ａと第２平面７ｂが上下方向Ｚに隣接するように構成されている。
【００４０】
これにより、操作者の視界に比較的入りやすい第１平面７ａに配置される開操作部６ａと、視界に比較的入りにくい第２平面７ｂに配置される閉操作部６ｂを一対の操作部と認識しやすくなる。そのため、操作者の視界に比較的入りやすい第１平面７ａに配置される開操作部６ａを操作者が認識することで、視界に比較的入りにくい第２平面７ｂに、開操作部６ａと対をなす閉操作部６ｂが配置されていることを容易に認識することができる。
【００４１】
なお、「第１平面７ａと第２平面７ｂが隣接する」とは、両平面の辺が共有される場合だけでなく、両平面の間に第１平面７ａの面積の２５％以下の面積を有する面が挿入される場合も含まれ、例えば、第１平面７ａと第２平面７ｂの間が、面取り加工によって成型される場合の平面や、曲げ加工によって成型される場合の曲面が該当する。
【００４２】
以上より、本実施形態に係る乗りかご操作盤３は、エレベータの乗りかご１の壁面２に対して平行に配置されるフェースプレート３ａと、前記乗りかご１のドア４，４を開くために操作される開操作部６ａと、前記ドア４，４を閉めるために操作される閉操作部６ｂと、を有し、前記開操作部６ａが、前記フェースプレート３ａから上下方向Ｚに傾斜する第１平面７ａに配置され、前記閉操作部６ｂが前記第１平面７ａと上下方向Ｚに傾斜が異なる第２平面７ｂに配置されることを特徴とする。
【００４３】
本実施形態の構成によれば、開閉操作部３ｃを操作する操作者の視界に比較的入りやすい第１平面７ａと、視界に比較的入りにくい第２平面７ｂが区別されるため、開閉操作部３ｃを操作する際に、開操作部６ａと閉操作部６ｂの誤操作を抑制することができる。
【００４４】
また、本実施形態に係る乗りかご操作盤３は、前記第１平面７ａが、前記フェースプレート３ａよりも上向きＺ１に傾斜している、という構成である。
【００４５】
本実施形態の構成によれば、操作者の視界に比較的入りやすい第１平面７ａがより視界に入りやすくなることで、第１平面７ａに配置される開操作部６ａをさらに容易に操作することができる。
【００４６】
また、本実施形態に係る乗りかご操作盤３は、前記第２平面７ｂが、前記フェースプレート３ａと平行である、という構成である。
【００４７】
本実施形態の構成によれば、開閉操作部３ｃを操作する操作者の視界に比較的入りやすい第１平面７ａと、視界に比較的入りにくい第２平面７ｂがより明確に区別されるため、開閉操作部３ｃを操作する際に、開操作部６ａと閉操作部６ｂの誤操作をさらに抑制することができる。
【００４８】
また、本実施形態に係る乗りかご操作盤３は、前記第１平面７ａが、前記フェースプレート３ａから前記乗りかご１の内部に向けて突出している、という構成である。
【００４９】
本実施形態の構成によれば、操作者の視界に比較的入りやすい第１平面７ａがより視界に入りやすくなることで、第１平面７ａに配置される開操作部６ａをさらに容易に操作することができる。
【００５０】
また、本実施形態に係る乗りかご操作盤３は、前記第１平面７ａと前記第２平面７ｂが上下方向Ｚに隣接する、という構成である。
【００５１】
本実施形態の構成によれば、操作者の視界に比較的入りやすい第１平面７ａに配置される開操作部６ａと、視界に比較的入りにくい第２平面７ｂに配置される閉操作部６ｂを一対の操作部と認識しやすくなる。そのため、操作者の視界に比較的入りやすい第１平面７ａに配置される開操作部６ａを操作者が認識することで、視界に比較的入りにくい第２平面７ｂに、開操作部６ａと対をなす閉操作部６ｂが配置されていることを容易に認識することができる。
【００５２】
なお、乗りかご操作盤３は、上記の実施形態の構成に限定されるものではなく、その趣旨を逸脱しない範囲内で種々の改良、修正、又は変形が可能である。例えば、下記の変形例の構成を選択し、上記の実施形態の構成に採用することも可能である。
【００５３】
（１）上記の実施形態に係る乗りかご操作盤３においては、開操作部６ａは、フェースプレート３ａから上下方向Ｚに傾斜する第１平面７ａに配置され、閉操作部６ｂは、第１平面７ａと上下方向Ｚに傾斜が異なる第２平面７ｂに配置される、という構成である。しかしながら、乗りかご操作盤３は、このような構成に限られない。例えば、図３に示すように、開操作部６ａと閉操作部６ｂのいずれか一方が、フェースプレート３ａから上下方向Ｚに傾斜する第１平面７ａに配置され、他方が第１平面７ａと上下方向Ｚに傾斜が異なる第２平面７ｂに配置される、という構成であればよい。
【００５４】
図３は、第１変形例に係る開閉操作部の正面図及び側面図である。
【００５５】
例えば、図３に示すように、第１変形例に係る閉操作部６ｂは、フェースプレート３ａから上下方向Ｚに傾斜する第１平面７ａに配置され、開操作部６ａは、第１平面７ａと上下方向Ｚに傾斜が異なる第２平面７ｂに配置される、という構成でもよい。
【００５６】
第１変形例の構成によれば、一般に、開操作部６ａの操作（例えば、１０％〜２０％）よりも閉操作部６ｂの操作（例えば、８０％〜９０％）が行われる割合が多いため、閉操作部６ｂを容易に操作することができる。
【００５７】
（２）また、上記の実施形態に係る乗りかご操作盤３においては、第２平面７ｂが、フェースプレート３ａと平行である、という構成である。しかしながら、乗りかご操作盤３は、このような構成に限られない。例えば、図４に示すように、第２平面７ｂが、フェースプレート３ａと平行、又は、フェースプレート３ａよりも下向きに傾斜している、という構成であればよい。
【００５８】
図４は、第２変形例に係る開閉操作部の正面図及び側面図である。
【００５９】
例えば、図４に示すように、第２変形例に係る開操作部６ａは、フェースプレート３ａよりも上向きＺ１に傾斜した第１平面７ａに配置され、閉操作部６ｂは、フェースプレート３ａよりも下向きＺ２に傾斜した第２平面７ｂに配置される、という構成でもよい。
【００６０】
第２変形例の構成によれば、開閉操作部３ｃを操作する操作者の視界に比較的入りやすい第１平面７ａと、視界に比較的入りにくい第２平面７ｂが区別されるため、開閉操作部３ｃを操作する際に、開操作部６ａと閉操作部６ｂの誤操作を抑制することができる。
【００６１】
（３）また、上記の実施形態に係る乗りかご操作盤３においては、第１平面７ａが、フェースプレート３ａよりも上向きＺ１に傾斜している、という構成である。しかしながら、乗りかご操作盤３は、このような構成が好ましいが、このような構成に限られない。
【００６２】
図５は、第３変形例に係る開閉操作部の正面図及び側面図である。
【００６３】
例えば、図５に示すように、第３変形例に係る閉操作部６ｂは、フェースプレート３ａよりも下向きＺ２に傾斜した第１平面７ａに配置され、また、開操作部６ａは、フェースプレート３ａと平行な第２平面７ｂに配置される、という構成でもよい。
【００６４】
第３変形例の構成によれば、開閉操作部３ｃを操作する操作者の視界に比較的入りやすい第２平面７ｂと、視界に比較的入りにくい第１平面７ａが区別されるため、開閉操作部３ｃを操作する際に、開操作部６ａと閉操作部６ｂの誤操作を抑制することができる。
【００６５】
（４）また、上記の実施形態、又は、第２変形例に係る乗りかご操作盤３においては、第２平面７ｂが、フェースプレート３ａと平行、又は、フェースプレート３ａよりも下向きに傾斜している、という構成である。しかしながら、乗りかご操作盤３は、このような構成が好ましいが、このような構成に限られない。
【００６６】
図６は、第４変形例に係る開閉操作部の正面図及び側面図である。
【００６７】
例えば、図６に示すように、第４変形例に係る開操作部６ａは、フェースプレート３ａよりも上向きＺ１に傾斜した第１平面７ａに配置され、さらに閉操作部６ｂは、第１平面７ａと上下方向Ｚに傾斜が異なり、且つ、フェースプレート３ａよりも上向きＺ１に傾斜した第２平面７ｂに配置される、という構成でもよい。
【００６８】
（５）また、上記の実施形態に係る乗りかご操作盤３においては、第１平面７ａが、フェースプレート３ａから乗りかご１の内部に向けて突出している、という構成である。しかしながら、乗りかご操作盤３は、このような構成が好ましいが、このような構成に限られない。
【００６９】
図７は、第５変形例に係る開閉操作部の正面図及び側面図である。
【００７０】
例えば、図７に示すように、第５変形例に係る乗りかご操作盤３は、第１平面７ａが、フェースプレート３ａから乗りかご１外部に向けて埋没している、換言すると、フェースプレート３ａより奥向きＸ２に向けて埋没している、という構成でもよい。
【００７１】
第５変形例の構成によれば、開閉操作部３ｃに利用者の衣服等が引っ掛かることを抑制することができる。また、誤って利用者の体の一部が開操作部６ａ又は閉操作部６ｂに接触し、意図しない操作が引き起こされることを抑制することができる。
【００７２】
（６）また、上記の実施形態に係る乗りかご操作盤３においては、第１平面７ａと第２平面７ｂが上下方向に隣接する、という構成である。しかしながら、乗りかご操作盤３は、このような構成が好ましいが、このような構成に限られない。
【００７３】
（６−１）図８は、第６変形例に係る開閉操作部の正面図及び側面図である。
【００７４】
例えば、図８に示すように、第６変形例に係る乗りかご操作盤３は、開操作部６ａが配置され、フェースプレート３ａよりも上向きＺ１に傾斜した第１平面７ａと、閉操作部６ｂが配置され、フェースプレート３ａと平行な第２平面７ｂとが隣接せず、両平面の間に、フェースプレートよりも下向きＺ２に傾斜した第３平面７ｃが挿入される、という構成でもよい。また、第３平面７ｃは、第１平面７ａの面積の２５％より大きい面積を有する。
【００７５】
（６−２）図９は、第７変形例に係る開閉操作部の正面図及び側面図である。
【００７６】
例えば、図９に示すように、第７変形例に係る乗りかご操作盤３は、開操作部６ａが配置され、フェースプレート３ａよりも上向きＺ１に傾斜した第１平面７ａと、閉操作部６ｂが配置され、フェースプレート３ａと平行な第２平面７ｂとが間口方向Ｙに並べられる、という構成でもよい。
【符号の説明】
【００７７】
１・・・乗りかご
２・・・壁面
３・・・乗りかご操作盤
３ａ・・・フェースプレート
３ｂ・・・行先階入力部
３ｃ・・・開閉操作部
４・・・ドア
５・・・表示部
６ａ・・・開操作部
６ｂ・・・閉操作部
７ａ・・・第１平面
７ｂ・・・第２平面
７ｃ・・・第３平面
【要約】
【課題】  ドアの開閉の誤操作をすることを抑制することができる乗りかご操作盤を提供する。
【解決手段】  乗りかご操作盤は、エレベータの乗りかごの壁面に対して平行に配置されるフェースプレートと、乗りかごのドアを開くために操作される開操作部と、ドアを閉めるために操作される閉操作部と、を有し、開操作部と閉操作部のいずれか一方が、フェースプレートから上下方向に傾斜する第１平面に配置され、他方が第１平面と上下方向に傾斜が異なる第２平面に配置されることを特徴とする。
【選択図】  図２【図１】
0006824591.tif 000002
【図２】
0006824591.tif 000003
【図３】
0006824591.tif 000004
【図４】
0006824591.tif 000005
【図５】
0006824591.tif 000006
【図６】
0006824591.tif 000007
【図７】
0006824591.tif 000008
【図８】
0006824591.tif 000009
【図９】
0006824591.tif 000010